(57)【特許請求の範囲】
【請求項１】
被検レンズが載置されるレンズ受けと、
前記被検レンズを前記レンズ受けの方向に押圧可能なレンズ押圧ピンを有するレンズ押さえユニットと、
前記被検レンズに印点可能な印点用ペンを有する印点ユニットと、
前記レンズ押さえユニット及び前記印点ユニットを保持し、垂直方向に昇降可能に配設された昇降アームと、を備え、
前記印点ユニットは、前記印点用ペンが、前記レンズ受けに載置された被検レンズから退避した退避位置と、当該被検レンズに印点を行う印点位置から上方に離間した印点準備位置との間で回動可能に設けられており、
前記印点ユニットは、前記印点準備位置と前記印点位置との間を、前記昇降アームの昇降により移動する、レンズメータ。
【請求項２】
前記レンズ押圧ピンは、前記印点ユニットが印点準備位置にある場合に、前記印点用ペンの先端と前記被検レンズとの間に空隙が生じるように、前記被検レンズの向きに付勢されている、請求項１記載のレンズメータ。
【発明の詳細な説明】
【技術分野】
【０００１】
本発明は、被検レンズに印点を行うレンズメータに関する。
【背景技術】
【０００２】
図７は、従来のレンズメータ１０１を示す図である。図７において、従来のレンズメータ１０１は、測定用光源１０２と、光を投光する投光レンズ１０３と、被検レンズ６や図示しないマスク等を透過した光をセンサ上に結像させるための結像レンズ１０４と、像を受光する撮像センサ１０５とを備えている。また、従来のレンズメータ１０１は、被検レンズ６が載置されるレンズ受け４と、被検レンズ６を上からレンズ受け４の方向に押さえるレンズ押さえユニット１２１と、被検レンズ６に印点を行う印点ユニット１３１とをも備えている。レンズ押さえユニット１２１と、印点ユニット１３１とは、それぞれ昇降アーム１１１，１１２によって鉛直方向に昇降可能に保持されている。したがって、被検レンズ６を保持する際には、昇降アーム１１１を降下させることによってレンズ押さえユニット１２１のみを被検レンズ６に向かって降下させ、レンズ受け４と、レンズ押さえユニット１２１とによって被検レンズ６を保持する。また、印点を行う際には、印点用ペンの先端が被検レンズ６に対向する位置となるまで印点ユニット１３１を回動させ、さらに昇降アーム１１２を降下させることによって被検レンズ６に印点を行う。なお、このような従来のレンズメータ１０１については、例えば、特許文献１に記載されている。
【先行技術文献】
【特許文献】
【０００３】
【特許文献１】特開２００３−８３８４５号公報
【発明の概要】
【発明が解決しようとする課題】
【０００４】
しかしながら、図７で示される従来のレンズメータ１０１において、レンズ押さえユニット１２１と印点ユニット１３１とをそれぞれ昇降アーム１１１，１１２によって昇降させると、それだけ装置の構成が複雑になってしまうという問題があった。
【０００５】
本発明は、上記問題を解決するためになされたものであり、シンプルな構成のレンズメータを提供することを目的とする。
【課題を解決するための手段】
【０００６】
上記目的を達成するため、本発明によるレンズメータは、被検レンズが載置されるレンズ受けと、被検レンズをレンズ受けの方向に押圧可能なレンズ押圧ピンを有するレンズ押さえユニットと、被検レンズに印点可能な印点用ペンを有する印点ユニットと、レンズ押さえユニット及び印点ユニットを保持し、垂直方向に昇降可能に配設された昇降アームと、を備え、印点ユニットは、印点用ペンが、レンズ受けに載置された被検レンズから退避した退避位置と、その被検レンズに印点を行う印点位置から上方に離間した印点準備位置との間で回動可能に設けられており、印点ユニットは、印点準備位置と印点位置との間を、昇降アームの昇降により移動する、ものである。
このような構成により、単一の昇降アームによってレンズ押さえユニットと印点ユニットとの両方を保持することができ、シンプルな構成のレンズメータを実現することができる。また、レンズ押さえユニットが被検レンズを押さえている状態において、印点ユニットを退避位置から印点準備位置に回動させ、昇降アームを下降させることによって、被検レンズに印点を行うことができるようになる。
【０００７】
また、本発明によるレンズメータでは、レンズ押圧ピンは、印点ユニットが印点準備位置にある場合に、印点用ペンの先端と被検レンズとの間に空隙が生じるように、被検レンズの向きに付勢されていてもよい。
このような構成により、印点ユニットを退避位置から印点準備位置に回動させる際に、印点用ペンの先端が被検レンズに当たらないようにすることができ、適切な印点を行うことができるようになる。
【発明の効果】
【０００８】
本発明によるレンズメータによれば、被検レンズに印点を行うレンズメータの構成をシンプルにすることができる。
【図面の簡単な説明】
【０００９】
【図１】本発明の実施の形態１によるレンズメータの外観を示す図
【図２】同実施の形態におけるレンズ押さえユニットの部分を示す図
【図３】同実施の形態における昇降アームの昇降機構について説明するための図
【図４】同実施の形態におけるレンズ押さえユニット及び印点ユニットの内部構造を示す図
【図５】同実施の形態における印点用ペンの先端の高さについて説明するための図
【図６】同実施の形態における印点ユニットの回動と印点動作について説明するための図
【図７】従来のレンズメータを示す図
【発明を実施するための形態】
【００１０】
以下、本発明によるレンズメータについて、実施の形態を用いて説明する。なお、以下の実施の形態において、同じ符号を付した構成要素は同一または相当するものであり、再度の説明を省略することがある。
【００１１】
（実施の形態１）
本発明の実施の形態１によるレンズメータについて、図面を参照しながら説明する。本実施の形態によるレンズメータは、被検レンズを押さえるレンズ押さえユニットと、被検レンズに印点可能な印点ユニットとを単一の昇降アームで保持するものである。
【００１２】
図１は、本実施の形態によるレンズメータ１の外観図である。本実施の形態によるレンズメータ１は、投光部２と、受光部３と、被検レンズ６が載置されるレンズ受け４と、モニタ５と、垂直方向に昇降可能に配設された昇降アーム１１と、その昇降アーム１１によって保持されるレンズ押さえユニット２１及び印点ユニット３１とを備える。なお、被検レンズ６は、例えば、未加工レンズであってもよく、フレーム加工済みレンズであってもよい。また、図１では、本実施の形態によるレンズメータ１の特徴的な構成要素のみを示している。したがって、レンズメータ１は、これら以外の構成要素を備えていてもよいことは言うまでもない。例えば、レンズメータ１は、被検レンズ６の光学中心の光学特性の値を記憶する記憶手段や、その光学特性の値を印刷するプリンタ等を備えていてもよい。
【００１３】
投光部２は、測定用の光源の発した測定光をレンズ受け４に載置された被検レンズ６に投光する。投光部２は、例えば、測定光の光源と、その光源の発した拡散光を平行な測定光にして被検レンズ６に投光する投光レンズとを備えていてもよい。その測定光は、被検レンズ６等を通過し、受光部３で受光される。受光部３は、その受光した測定光に応じたデータを取得する。受光部３は、例えば、被検レンズ６を通過した測定光が通過するパターンマスクと、パターンマスクを通過した光を撮像センサ上に結像させるための結像レンズと、結像された画像を電気信号に変換して画像データを生成するための撮像センサとを備えていてもよい。また、レンズメータ１は、受光部３が受光した測定光の受光像を用いて被検レンズ６の光学特性を算出する図示しない光学特性算出部を有してもよい。その受光像は、例えば、パターンマスクの受光像であってもよい。光学特性算出部が算出する光学特性は、例えば、球面度数であってもよく、円柱度数（柱面度数）であってもよく、プリズム値であってもよく、あるいは、それらの任意の２以上のものであってもよい。また、その光学特性に、軸角度（乱視軸角度）が含まれていてもよい。なお、測定光を用いて被検レンズ６の光学特性を取得する方法はすでに公知であり、その説明を省略する。また、上記説明以外の方法によって、被検レンズ６の光学特性を取得してもよいことは言うまでもない。そのようにして取得された光学特性は、例えば、モニタ５に表示されてもよい。また、被検レンズ６のアライメントの状況等がモニタ５に表示されてもよい。
【００１４】
図２は、レンズ押さえユニット２１と印点ユニット３１の範囲を拡大した図であり、図３は、昇降アーム１１の昇降機構について説明するための図であり、図４は、レンズ押さえユニット２１や印点ユニット３１の内部構造を示す図である。また、図５は、印点用ペン３２の高さについて説明するための図であり、図６は、印点ユニット３１の回動と印点動作について説明するための図である。
【００１５】
図３で示されるように、昇降アーム１１は本体フレーム４１のスリット４４に挿通されている。また、昇降アーム１１の背面側（レンズ押さえユニット２１と反対側）には、本体フレーム４１と平行に延びる延設部１１ａが一体に形成されている。その延設部１１ａは、昇降ガイド４３にネジで固定されている。昇降ガイド４３は、本体フレーム４１の垂直方向に配設された昇降レール４２に対して垂直方向に摺動可能に設けられている。なお、昇降ガイド４３は昇降レール４２に対して垂直方向以外は移動できないように設けられているものとする。したがって、レンズ押さえユニット２１及び印点ユニット３１を保持する昇降アーム１１は、図３の両矢印で示される垂直方向にのみ昇降可能となる。なお、昇降アーム１１または昇降ガイド４３に、昇降アーム１１が上昇した状態を一時的に保持する機構（図示せず）を備えてもよい。その機構は、例えば、ラッチ機構であってもよい。例えば、そのラッチ機構により昇降アーム１１が上昇位置で保持され、昇降アーム１１がもう一度上昇方向に少し移動されることによって、ラッチが外れて昇降アーム１１が下降可能になってもよい。
【００１６】
レンズ押さえユニット２１は、昇降アーム１１の延設部１１ａと反対側の先端で保持されている。すなわち、レンズ押さえユニット２１は、昇降アーム１１の先端にネジで固定されている。そのレンズ押さえユニット２１は、鉛直下方に突出している４本のレンズ押圧ピン２２と、その４本のレンズ押圧ピン２２を支持する支持部材２６と、その支持部材２６の上面側に装置本体から離れる方向に突設されている昇降レバー２３とを備える。レンズ押圧ピン２２は、支持部材２６に対して進退可能に設けられており、被検レンズ６をレンズ受け４の方向に押圧可能である。レンズ押圧ピン２２が支持部材２６に対して進退可能とは、レンズ押圧ピン２２の先端が支持部材２６から離れる方向、あるいはその逆の近づく方向に移動可能であることを意味する。また、レンズ押圧ピン２２は、図４で示されるように、鉛直下方、すなわち、被検レンズ６の向きにピン付勢バネ２４によって付勢されている。なお、レンズ押圧ピン２２の付勢は、ピン付勢バネ２４以外の弾性部材、例えば、ゴム等によって行われてもよい。また、本実施の形態では、レンズ押さえユニット２１が４本のレンズ押圧ピン２２を有する場合について説明するが、そうでなくてもよい。レンズ押圧ピン２２の本数は、４本以外であってもよい。また、図２で示されるように、昇降レバー２３の装置本体側は、測定光を遮断しないように略Ｕ字形状となっている。また、その略Ｕ字形状に対応する支持部材２６の中央部分には、測定光が通過できる貫通孔（図示せず）が設けられている。なお、印点ユニット３１が回動した際に、中央の印点用ペン３２は、その昇降レバー２３のＵ字内と、貫通孔とを通過する。また、支持部材２６の左右端には、印点ユニット３１が回動した際に両端の印点用ペン３２が通過できる貫通孔２５が設けられている。
【００１７】
印点ユニット３１も、昇降アーム１１の先端で保持されている。なお、本実施の形態では、印点ユニット３１は、レンズ押さえユニット２１を介して、間接的に昇降アーム１１の先端で保持されている。また、印点ユニット３１は、被検レンズ６に印点可能な印点用ペン３２と、印点用ペン３２が出没可能に装入されるペンホルダー３３と、ペンホルダー３３を支持する支持部３９と、支持部３９の一端に設けられ、印点ユニット３１を回動させるための印点レバー３４とを備える。本実施の形態では、印点ユニット３１が３本の印点用ペン３２を有する場合について説明するが、そうでなくてもよい。印点用ペン３２は、通常、一列に均等に並んで配置されている。真ん中の印点用ペン３２は、例えば、被検レンズ６の光学中心位置を示す印点を行うために用いられる。また、左右両側の２個の印点用ペン３２は、例えば、円柱屈折力の軸方向を示す印点を行うためなどに用いられる。また、印点用ペン３２は、図４で示されるように、ペンの長さ方向（軸方向）におけるペンの先端の向きにペン付勢バネ３５によって付勢されている。すなわち、印点用ペン３２は印点時における被検レンズ６の向きに付勢されている。なお、印点用ペン３２の付勢は、ペン付勢バネ３５以外の弾性部材、例えば、ゴム等によって行われてもよい。また、印点用ペン３２が被検レンズ６に印点を行うための構成は問わない。例えば、印点用ペン３２は、インクタンクと、インクタンクに連接されたフェルト製の細くて柔らかい印点針とを有してもよい。また、図５で示されるように、３本の印点用ペン３２は、被検レンズ６の印点形成面の湾曲形状に大略沿うように配置されていてもよい。すなわち、３本の印点用ペン３２のうち、中央のペンが、図５で示されるように、ギャップＤだけ高い位置（Ｄだけ突出の少ない位置）に配置されていてもよい。ギャップＤは被検レンズ６の曲率半径に応じて適宜、決められる値であるが、例えば、略３ｍｍであってもよい。なお、このような印点ユニット３１の構成については、前述の特許文献１で開示されている。また、印点ユニット３１は、印点用ペン３２がレンズ受け４に載置された被検レンズ６から退避した退避位置と、印点準備位置との間で回動軸３６を中心に回動可能に設けられている。印点準備位置は、印点用ペン３２が被検レンズ６に印点を行う印点位置から上方に離間した位置である。回動軸３６は、支持部材２６の装置本体側の端辺に設けられている。本実施の形態では、印点ユニット３１は、レンズ押さえユニット２１に対して回動可能に設けられている。なお、レンズ押さえユニット２１が昇降アーム１１に固定されているため、結果として、印点ユニット３１は昇降アーム１１に対して回動可能となる。退避位置とは、レンズ押圧ピン２２の長さ方向（通常、鉛直方向であり、投光部２や受光部３の光軸方向である）と印点用ペン３２の長さ方向とが一致しない（平行にならない）印点ユニット３１の位置であり、図１〜図４で示される印点ユニット３１の位置である。図４において、印点ユニット３１は、ねじりコイルバネ３７によって退避位置の方向に付勢されている。また、印点ユニット３１が退避位置にある場合には、印点ユニット３１に設けられたストッパ突部３８の端部３８ａがレンズ押さえユニット２１に当接することにより、印点ユニット３１のそれ以上の回動が規制される。印点準備位置とは、レンズ押圧ピン２２の長さ方向と印点用ペン３２の長さ方向とが平行になる印点ユニット３１の位置であり、被検レンズ６と印点用ペン３２の先端との間に空隙が存在する位置である。すなわち、印点準備位置は、図６（ｂ）で示される印点ユニット３１の位置である。印点ユニット３１が印点準備位置にある場合には、印点ユニット３１の支持部３９の下面と、レンズ押さえユニット２１の支持部材２６の上面とが接触することにより、印点ユニット３１のそれ以上の回動が規制される。また、印点用ペン３２の先端が被検レンズ６に接触する位置を印点位置と呼ぶ。すなわち、図６（ｂ）で示される印点ユニット３１の位置が印点準備位置であり、図６（ｃ）で示される印点ユニット３１の位置が印点位置である。また、レンズ押圧ピン２２の長さ方向と印点用ペン３２の長さ方向とが平行になる印点ユニット３１の位置を印点方向位置と呼ぶこともある。印点方向位置は、印点準備位置と印点位置とを含む概念である。印点ユニット３１は、印点準備位置と印点位置との間を昇降アーム１１の昇降により移動する。また、印点ユニット３１が、印点準備位置と印点位置との間で上下方向に移動可能となるように、レンズ押圧ピン２２は、レンズ押さえユニット２１に対して進退可能に設けられている。また、印点ユニット３１が印点準備位置にある場合に、印点用ペン３２の先端と、被検レンズ６との間に空隙が生じている。すなわち、その空隙が生じるように、４本のレンズ押圧ピン２２が被検レンズ６の向きに付勢されているものとする。印点ユニット３１が印点準備位置に回動するまでに印点用ペン３２の先端が被検レンズ６に当たらないようにするためである。
【００１８】
次に、本実施の形態によるレンズメータ１によって印点を付す動作について説明する。ユーザ（検者）が、レンズ押さえユニット２１等を上昇させた状態で、被検レンズ６をレンズ受け４に載置する。そして、昇降レバー２３を把持しながら、レンズ押さえユニット２１等を被検レンズ６に向かって下降させる。なお、レンズ押さえユニット２１等は、自重によって下降することになる。そして、図６（ａ）で示されるように、被検レンズ６がレンズ受け４とレンズ押圧ピン２２とに挟まれるように保持された状態でレンズ押さえユニット２１等の下降がストップする。このようにレンズ押さえユニット２１とレンズ受け４とによって被検レンズ６を保持している状態では、レンズ押さえユニット２１等の荷重による鉛直下向きの力と、被検レンズ６の表面に当接するレンズ押圧ピン２２に対するピン付勢バネ２４の付勢力とが釣り合っていることになる。したがって、この状態では、レンズ押圧ピン２２は、図３等のように被検レンズ６を保持していない状態よりも少しだけ支持部材２６の方に沈み込むことになる。この沈み込みの深さをＧとする。また、この状態において、印点ユニット３１は、ねじりコイルバネ３７の付勢力によって、ストッパ突部３８の端部３８ａがレンズ押さえユニット２１に当接するまで回動された退避位置にある。
【００１９】
その後、ユーザは、モニタ５の表示を見ながら被検レンズ６を移動させ、アライメント等を行う。そして、アライメントが終了すると、ユーザは、印点ユニット３１の印点レバー３４を図６（ａ）の矢印方向に押さえる。すると、印点ユニット３１が回動軸３６を中心に、ねじりコイルバネ３７の付勢力に抗して回動する。そして、図６（ｂ）で示されるように、印点ユニット３１の下面側がレンズ押さえユニット２１の上面側に接触するまで、すなわち、印点準備位置まで回動する。なお、印点ユニット３１が印点準備位置に回動された場合に、図６（ｂ）で示されるように、印点用ペン３２の先端（印点針の先端）と、印点が行われる被検レンズ６との間に空隙が生じるように、レンズ押圧ピン２２が被検レンズ６の向きに付勢されていることは前述の通りである。このようにすることで、印点ユニット３１が印点準備位置に回動されるまでの途中において、印点用ペン３２の先端が被検レンズ６に当たり、被検レンズ６の望まない位置にマーキングしてしまうことを防止することができる。ここで、印点ユニット３１が印点準備位置に回動された場合とは、印点ユニット３１の印点準備位置への回動のみが行われた場合であって、印点ユニット３１の被検レンズ６に向かう下降がまだ明確には行われていない場合であってもよい。
【００２０】
またその後、ユーザが印点レバー３４を図６（ｃ）で示される矢印の向きに押さえることによって、昇降アーム１１を被検レンズ６の方に移動させると、レンズ押圧ピン２２が付勢力に抗して沈み込み、３本の印点用ペン３２の先端が被検レンズ６の表面に当接する。そして、被検レンズ６に３個の印点マークが付される。この時点における印点ユニット３１の位置が印点位置である。したがって、印点ユニット３１が印点準備位置に回動され、昇降アーム１１が被検レンズ６に向かって下降された場合に、印点用ペン３２の先端と、レンズ押圧ピン２２の先端とが略同じ高さとなることができるように、レンズ押圧ピン２２が被検レンズの向きに付勢されているものとする。図６（ｂ）の印点準備位置から図６（ｃ）の印点位置になるまで、昇降アーム１１がＨだけ下降しているため、レンズ押圧ピン２２は、図６（ｂ）の状態からさらに少なくともＨだけ沈み込むことが可能なように構成されていることになる。すなわち、印点が行われる際には、レンズ押圧ピン２２は、図６（ａ）の状態よりもさらに支持部材２６の方に沈み込むことになる。したがって、レンズ押圧ピン２２は、被検レンズ６を保持する際の沈み込みの深さＧと、印点時の沈み込みの深さＨとを足したＧ＋Ｈに、ペンホルダー３３に対する印点用ペン３２の沈み込みの深さや全体の遊び等を考慮した長さ（ストローク）だけ上下方向に進退可能（移動可能）に構成されていることになる。なお、図６（ｃ）のように印点マークを付す際には、レンズ押さえユニット２１が被検レンズ６に向かって沈み込むことになり、被検レンズ６を固定する力がそれだけ強くなる。そのため、印点時に被検レンズ６がずれることを効果的に防止することができる。また、図６（ｂ）の印点準備位置から図６（ｃ）の印点位置まで、レンズ押圧ピン２２の付勢力に抗しながら、手動で印点ユニット３１を被検レンズ６に向かって移動させるため、印点用ペン３２の先端が被検レンズ６の表面に当接する際の衝撃を小さくすることができ、印点時に被検レンズ６を傷つけないようにすることができる。
【００２１】
そのようにして印点が付された後に、ユーザが印点レバー３４に対する下方への力を解除すると、ピン付勢バネ２４の付勢力により、昇降アーム１１は図６（ｂ）の位置に戻る。さらに、ユーザが印点レバー３４を解放すると、ねじりコイルバネ３７の付勢力により、印点ユニット３１は図６（ａ）で示される退避位置に戻ることになる。
【００２２】
なお、印点ユニット３１を退避位置の向きに付勢するねじりコイルバネ３７の付勢力は、レンズ押圧ピン２２を被検レンズ６の向きに付勢するピン付勢バネ２４の付勢力よりも弱いものとする。そうでなければ、印点ユニット３１を回動させる際に、レンズ押さえユニット２１が被検レンズ６の方に下降してしまうからである。
【００２３】
以上のように、本実施の形態によるレンズメータ１によれば、単一の昇降アーム１１によって、レンズ押さえユニット２１と印点ユニット３１との両方を支持できる。したがって、従来のレンズメータ１０１のように、レンズ押さえユニット１２１及び印点ユニット１３１に対して、昇降アーム１１１，１１２をそれぞれ備える必要がなくなり、構成をシンプルなものにすることができる。その結果、レンズメータ１の部品点数を削減することができ、コストを低減させることができる。
【００２４】
また、図７で示される従来のレンズメータ１０１の場合には、印点ユニット１３１がレンズ押さえユニット１２１と別個に昇降するため、印点を行う際に、印点ユニット１３１の先端が被検レンズ６と対向する位置となるように回動させる動作と、印点ユニット１３１を降下させる動作との２段階の動作が必要であった。一方、本実施の形態では、印点ユニット３１の下降は図６（ｃ）のＨ程度であるため、印点を行う際の操作が印点ユニット３１を回動させる操作で大略完結することになり、印点を行う操作が簡易なものとなる。そのため、印点を行う操作の操作性が向上する。
【００２５】
なお、本実施の形態によるレンズメータ１の構成は一例であり、レンズ押さえユニット２１と、印点ユニット３１とが単一の昇降アーム１１によって直接的にまたは間接的に保持されるのであれば、他の構成であってもよいことは言うまでもない。例えば、本実施の形態では、印点ユニット３１がレンズ押さえユニット２１に設けられている場合について説明したが、そうではなく、印点ユニット３１が直接、昇降アーム１１に設けられてもよい。すなわち、印点ユニット３１が昇降アーム１１に対して直接、回動可能に設けられていてもよい。
【００２６】
また、本実施の形態では、印点準備位置と印点位置とが異なる場合について説明したが、そうでなくてもよい。印点準備位置と印点位置が同じであってもよい。この場合には、印点方向位置が印点位置となる。すなわち、印点ユニット３１を退避位置から印点方向位置（印点位置）に回動させる操作のみで、印点の操作が終了することになる。この場合には、例えば、印点の行われる被検レンズ６がすべて同じ曲率を有するものであり、その被検レンズ６に対して、図６（ｃ）中の長さＨが「０」となるように、レンズ押圧ピン２２の突出の程度が調整されていてもよい。また、この場合には、レンズ押圧ピン２２は、支持部材２６に対して進退可能ではなく、固定されたものであってもよい。
このように、レンズメータは、被検レンズが載置されるレンズ受けと、被検レンズをレンズ受けの方向に押圧可能なレンズ押圧ピンを有するレンズ押さえユニットと、被検レンズに印点可能な印点用ペンを有する印点ユニットと、レンズ押さえユニット及び印点ユニットを保持し、垂直方向に昇降可能に配設された昇降アームと、を備え、印点ユニットは、レンズ受けに載置された被検レンズから退避した退避位置と、印点用ペンが被検レンズに印点を行う方向となる印点方向位置との間で回動可能に設けられたものであってもよい。そして、レンズ押圧ピンは、印点ユニットが、印点方向位置であって、被検レンズと印点用ペンの先端との間に空隙が存在する位置である印点準備位置にある場合に、その空隙が生じるように、被検レンズの向きに付勢されており、かつ、印点ユニットが、印点準備位置と印点用ペンの先端が被検レンズに接触する印点位置との間で移動可能となるように進退可能に設けられていてもよい。あるいは、印点準備位置と印点位置が同じであって、印点方向位置が印点位置となってもよい。
【００２７】
また、本発明は、以上の実施の形態に限定されることなく、種々の変更が可能であり、それらも本発明の範囲内に包含されるものであることは言うまでもない。
【産業上の利用可能性】
【００２８】
以上より、本発明によるレンズメータによれば、簡易な構成にできるという効果が得られ、被検レンズに印点を行うレンズメータとして有用である。
【符号の説明】
【００２９】
１  レンズメータ
４  レンズ受け
６  被検レンズ
１１  昇降アーム
２１  レンズ押さえユニット
２２  レンズ押圧ピン
２３  昇降レバー
２４  ピン付勢バネ
２６  支持部材
３１  印点ユニット
３２  印点用ペン
３３  ペンホルダー
３４  印点レバー
３５  ペン付勢バネ
３７  ねじりコイルバネ
３９  支持部
【図１】
0005504189.tif 000002
【図２】
0005504189.tif 000003
【図３】
0005504189.tif 000004
【図４】
0005504189.tif 000005
【図５】
0005504189.tif 000006
【図６】
0005504189.tif 000007
【図７】
0005504189.tif 000008